(57)【要約】  【課題】混載モードでステープル処理を行う場合に、コピーの強制中断を未然に防止することができる綴じ機構付記録装置を提供する。  【解決手段】プリントプログラムを開始すると、ステープル機能がオンになっているか否かを判別し（ステップ１０１）、ステープル機能がオンになっていない場合には、通常の記録・排紙処理を行う（ステップ１０２）。ステープル機能がオンになっている場合には、次に、混載モードが設定されているか否かを判別し、混載モードが設定されていない場合には、読取、記録、ステープルを実行する。一方、ユーザが混載モードを選択している場合には、次に、自動カセットモードか否かを判別し（ステップ１０９）、自動カセットモードとなっている場合には、ステープルできない旨の警告表示画面を表示する（ステップ１１０）。  【選択図】図４
2005104703.tif 000002
【特許請求の範囲】
【請求項１】
画像を読取る画像読取部と、読取った画像データを記憶する画像記憶部と、前記記憶部に記憶された画像データを記録する画像記録部と、上記画像記録部により記録された記録紙を綴じるステープラ部と、表示・操作部と、上記各部を制御する制御部とを備え、上記表示・操作部から原稿サイズ混載モードでかつステープルモードが指示されたとき、上記制御部が、上記指示を受け付けないことを特徴とする綴じ機構付記録装置。
【請求項２】
請求項１に記載の綴じ機構付記録装置において、上記表示・操作部から原稿サイズ混載モードでかつステープルモードが指示されたとき、上記制御部が、上記表示・操作部に警告表示画面を表示することを特徴とする綴じ機構付記録装置。
【請求項３】
請求項２に記載の綴じ機構付記録装置において、上記表示・操作部から原稿サイズ混載モードでかつステープルモードが指示されたとき、上記制御部が、上記警告表示画面に動作続行の可否を指示する操作画面を表示することを特徴とする綴じ機構付記録装置。
【発明の詳細な説明】
【技術分野】
【０００１】
本発明は、原稿画像を読取り、この読取り画像を用紙に記録する記録装置に関し、特にステープル機能を有する綴じ機構付記録装置に関する。
【背景技術】
【０００２】
最近の複写機能、ファクシミリ機能、プリント機能、スキャナ機能等を有するデジタル複合機あるいは通常のコピー機は、原稿読取部に向けシート状の原稿を自動的に一枚ずつ送る自動原稿読取装置（ＡＤＦ、オートドキュメントフィーダー）を備えており、このような記録装置に画像記録後に排出された記録紙を纏めてその一部にステープルを打ち込む等の後処理を行う後処理装置を組み合わせて使用することがある。
【０００３】
このような綴じ機構付記録装置において、記録紙を綴じる場合、自動原稿読取装置にセットされた原稿群からの原稿の繰り出しを基に、原稿の読取りが行われ、原稿画像の記録が行われた記録済用紙がステープルトレイに排出され、排出された記録紙の端縁が整合された後、ステープルが打ち込まれるようになっている。
【０００４】
ところで、最近、自動原稿読取装置の構造として、一様な大きさの原稿のみを積層載置して繰り出すようにする場合とは別に、サイズの異なる原稿を混載し、この原稿群からの原稿の繰り出しに応じて記録紙サイズの給紙カセットを選択する混載モードも設定できるようになっている。なお、自動原稿読取装置には積層載置された原稿の幅を検知するセンサが設けられており、上記の混載モードが設定されていない場合には、自動原稿読取装置に積層載置された原稿の最大幅の原稿に併せた記録紙のサイズの給紙カセットが自動的に選択される。
【０００５】
一方、ステープル装置の処理トレイに違うサイズの記録紙が出力されて用紙が揃えられない場合には、ステープラエラーを生じやすく、また、サイズが不揃いな記録シート束は外見上見栄えがよくないので、画像読取後、ステープル装置の処理トレイに違うサイズの記録紙が出力される場合には、ステープル処理を中断していた。（例えば、特許文献１参照）。
【特許文献１】特開平２−２３３４６８号公報
【発明の開示】
【発明が解決しようとする課題】
【０００６】
ところで、混載モードが設定されている場合、違うサイズの原稿が自動原稿読取装置に積載されている可能性が高く、従来、上記のようにステープル装置の処理トレイに違うサイズの記録紙が出力されると、ステープル処理が中断されるので、画像読取りが無駄になってしまうとともに、場合によっては記録済用紙が無駄になってしまうこともあり、操作性が悪いという問題があった。
【０００７】
本発明は、上記の問題に鑑みてなされたもので、混載モードでステープル処理を行う場合に、コピーの強制中断を未然に防止することができる綴じ機構付記録装置を提供することを目的とする。
【課題を解決するための手段】
【０００８】
上述の目的を達成するため、請求項１に係る発明の綴じ機構付記録装置は、画像を読取る画像読取部と、読取った画像データを記憶する画像記憶部と、前記記憶部に記憶された画像データを記録する画像記録部と、上記画像記録部により記録された記録紙を綴じるステープラ部と、表示・操作部と、上記各部を制御する制御部とを備え、上記表示・操作部から原稿サイズ混載モードでかつステープルモードが指示されたとき、上記制御部が、上記指示を受け付けないことを特徴とする。
【０００９】
また、請求項２に係る発明は、請求項１に記載の綴じ機構付記録装置において、上記表示・操作部から原稿サイズ混載モードでかつステープルモードが指示されたとき、上記制御部が、上記表示・操作部に警告表示画面を表示することを特徴とする。
【００１０】
さらに、請求項３に係る発明は、請求項２に記載の綴じ機構付記録装置において、上記表示・操作部から原稿サイズ混載モードでかつステープルモードが指示されたとき、上記制御部が、上記警告表示画面に動作続行の可否を指示する操作画面を表示することを特徴とする。
【発明の効果】
【００１１】
請求項１、請求項２に係る発明の綴じ機構付記録装置によれば、ユーザが表示・操作部から原稿サイズ混載モードでかつステープルモードを指示したとき、制御部がこの指示を受け付けず、表示・操作部に警告表示画面が表示されるので、原稿の読取りを開始する前に、ステープル処理に支障があることをユーザが認識することができる。
【００１２】
さらに、請求項３に係る発明の綴じ機構付記録装置によれば、ユーザが表示・操作部から原稿サイズ混載モードでかつステープルモードを指示したとき、上記警告表示画面に動作続行の可否を指示する操作画面が表示されるので、動作続行か動作中止かを選択することができ、操作の手間を省くことができる。
【実施例】
【００１３】
以下、本発明の綴じ機構付記録装置を一例として、コピーモード、プリンタモード、ファックスモード等を有するデジタル複合機に適用した場合の実施例について、図面を用いて説明する。図１はデジタル複合機の制御系の構成を示す概略ブロック図であり、図に示すように、デジタル複合機はＣＰＵ１、ＲＯＭ（Read Only Memory）２、ＲＡＭ（Random Access Memory）３、表示・操作部４、読取部５、画像メモリ６、記録部７、コーデック８、モデム９、ネットワーク制御ユニットＮＣＵ１０、後処理部１１から構成され、各部がバス１２を介して接続されている。
【００１４】
ＣＰＵ１はバス１２を介してデジタル複合機のハードウェア各部を制御するとともに、ＲＯＭ２に記憶されたプログラムに基づいて各種のプログラムを実行する。ＲＯＭ２はデジタル複合機の動作に必要な種々のプログラムを予め記憶しており、ＲＡＭ３はＳＲＡＭ等で構成され、プログラムの実行時に発生する一時的なデータを記憶するとともに、ステープル処理時にステープル処理トレイに排出される用紙のサイズを記憶するステープル用紙サイズ記憶領域１３を備えている。
【００１５】
表示・操作部４は、デジタル複合機の動作状態を表示したり、種々の機能の操作画面の表示を行う表示部と、デジタル複合機を操作するための複数のキーよりなり、図２の拡大図に示すように、表示部を構成する大型ＬＣＤ表示部（大型表示画面）２１と多数の操作キーから構成されている。ＬＣＤ表示部２１には、タッチパネルスイッチが配設され、ＬＣＤ表示部２１に表示された項目部分を押下することで、対応する項目の選択や機能の実行を行うことができる。また、操作キーとして、テンキー２２、スタートキー２３、リセットキー２４、ストップキー２５、複数のワンタッチダイヤルキー２６、十字キー２７、リターンキー２８、セットキー２９、ＦＡＸ切替キー３０、コピー切替キー３１、スキャナ切替キー３２等の各種キーが設けられている。なお、ＬＣＤ表示部２１によりこれらの操作キーの一部又は全部を代用することも可能である。
【００１６】
読取部５はオートドキュメントフィーダー（ＡＤＦ）やフラットベッドスキャナ（ＦＢＳ）等の読取り用原稿載置台を備え、ＣＣＤ等を利用したスキャナで原稿を読み取り、白黒２値に変換したドットイメージデータを出力するものである。また、画像メモリ６は、ＤＲＡＭ等を用いて構成され、送信すべきイメージデータまたは受信したイメージデータあるいはコピーすべきイメージデータを記憶し、記録部７は電子写真方式等のプリンタ装置を備え、受信したデータあるいはコピー原稿データをハードコピーとしてプリントアウトする。
【００１７】
コーデック８は送信する画像情報を一定の符号化法によりデータ圧縮する一方、受信した画像データを復号して元の情報に復元するものである。モデム９はバス１２に接続されており、ファクシミリ通信が可能なファックスモデムとしての機能を有し、このモデム９は同様にバス１２に接続されたＮＣＵ１０と接続されている。ＮＣＵ１０はアナログ回線の閉結及び開放の動作を行うハードウェアであり、必要に応じてモデム９を電話回線に接続する。
【００１８】
また、後処理部１１は、記録部７で記録された用紙の後処理を行うものであり、図３に詳細を示すように、画像読取記録部の記録済用紙排出部に連結され、内部にステープラ部４１が内設されるとともに、外部に排紙トレイ４２が設けられている。
ステープラ部４１はステープルトレイ４３の下側に設けられ、このステープルトレイ４３には、用紙の整合を行うためのジョガーフェンス４４及び戻しローラ４５が設けられている。更に、ステープラ部４１により綴じられた用紙束を排出するための放出ベルト４６が、ジョガーフェンス４４の背後位置に設けられている。
【００１９】
この後処理部１１の用紙搬送路入口４７側には入口ローラ４８と分岐爪４９が設けられ、この分岐爪４９により排紙トレイ４２方向へ行く用紙と、ステープラ部４１方向へ行く用紙とが仕分けされる。そして、ステープラ部４１方向の搬送路には下搬送ローラ５０及び紙送りローラ（ブラシローラ）５１が配置され、排紙トレイ４２方向の搬送路には上搬送ローラ５２、及び排出ローラ５３が設けられている。
【００２０】
デジタル複合機は上記のような構成を備えており、ファクシミリ送信時には、原稿の画像データが読取部５で読み取られ、コーデック８で圧縮されて画像メモリ６に蓄積される。この圧縮された画像データが画像メモリ６から読み出されてモデム９で変調され、ＮＣＵ１０から公衆電話回線を通して通信相手先に送信される。また、ファクシミリ受信時には、受信した画像データがモデム９で復調され、画像メモリ６に蓄積された後、コーデック８で復号されて記録部７により印刷される。
【００２１】
次に、このデジタル複合機において、ステープルモードでのコピーを行うときの動作について、図４に示すフローチャートにより説明する。なお、この動作は、ＲＯＭ２に記憶されたプログラムに基づき、ＣＰＵ１の制御により実行される。
ユーザが原稿をＡＤＦにセットした後、ＬＣＤ表示部２１のタッチパネルあるいはテンキー２２等の操作キーを使用して、ステープルモードや混載モードの設定、用紙カセットの選択、またはコピー部数や倍率等を設定した後、あるいはこれらの設定を省略してスタートキー２３を押すと、図４のフローチャートに示すプリントプログラムを開始する。
【００２２】
まず、ＣＰＵ１はユーザによりステープルモードが設定され、ステープル機能がオンになっているか否かを判別する（ステップ１０１）。ステープル機能がオンになっていない場合には、読取部５のＡＤＦによる原稿の読取りを開始するとともに、記録部７による記録を開始し、通常の排紙処理を行う（ステップ１０２）。
この場合には、後処理部１１の用紙入口４７から搬入されてきた記録済用紙は、入口ローラ４８、上搬送ローラ５２排出ローラ５３により搬送され、排紙トレイ４２に排出される。
【００２３】
一方、ステップ１０１において、ステープル機能がオンになっていると判別された場合には、ＣＰＵ１は、次に、ユーザにより混載モードが設定されているか否かを判別する（ステップ１０３）。そして、ユーザにより混載モードが設定されていない場合には、ＣＰＵ１は読取部５のＡＤＦによる原稿の読取りを開始した（ステップ１０４）後、ＡＤＦの積載原稿の幅を検知するセンサにより検出された原稿の最大幅の原稿に併せた記録紙の給紙カセットからの記録紙に記録部７により１ページプリントする（ステップ１０５）。
【００２４】
このとき、後処理部１１の用紙入口４７から搬入されてきた記録済用紙が、下搬送ローラ５０により搬送され、用紙がステープルトレイ４３の位置まで搬送されると、ジョガーフェンス４４が紙面に直角の方向に開き、その後、戻しローラ４５が振子運動を始め、排出されてきた用紙をたたいて用紙を下方に戻す。これにより、用紙が後端フェンスに突き当てられ、用紙の縦方向の整合が行われる。この後、一定時間経過すると、ジョガーフェンス４４が内側に移動し、用紙の横方向の整合が行われる。
そして、１ページ分のプリントが完了すると、ＣＰＵ１はプリントが完了したか否かを判別し（ステップ１０７）、プリントが完了していない場合には、ＣＰＵ１はステップ１０５に戻り、記録部７で次に記録すべき原稿データをプリントする。
【００２５】
一方、ステップ１０６において、プリント完了と判別されると、ＣＰＵ１はステープル部４１による綴じ処理を行う（ステップ１０７）。次に、ＣＰＵ１は、放出ベルト４６を駆動し、放出ベルトの放出爪（図示せず）により用紙束を引っ掛けて持ち上げ、このとき同時に駆動されている排出ローラ５３が持ち上げられた用紙束を受け取り、排紙トレイ４２に綴じ処理された用紙束を排出し（ステップ１０８）、プログラムを終了する。
【００２６】
また、ステップ１０３において、ユーザが混載モードを設定していると判別された場合には、ＣＰＵ１は次に、ユーザが記録用紙のカセットを指定しているか否かを判別する（ステップ１０９）。ユーザが記録用紙のカセットを指定している場合には、ステップ１０４に移り、上記と同様にして原稿の読取り、記録、ステープル処理を行う。
【００２７】
一方、ステップ１０９において、ユーザが記録用紙のカセットを指定しておらず、自動的に原稿サイズに合わせた給紙カセットを選択する自動カセットモードとなっている場合には、ＣＰＵ１はＬＣＤ表示部２１に図５に示す警告表示画面を表示する（ステップ１１０）。図に示すように、この警告表示画面には、「サイズの違う用紙をステープルできません。よろしいですか？」というメッセージが表示されるとともに、処理を続行するか中止するかを選択するアイコンが表示される。
【００２８】
次に、ＣＰＵ１はこの画面で「処理続行」または「処理中止」のいずれが押下されたかを判別する（ステップ１１１）。この画面で、ユーザが「処理中止」を押下すると、ＣＰＵ１はプログラムを終了する。また、図５の警告表示画面でユーザが「処理続行」を押下すると、ＣＰＵ１は読取部５のＡＤＦにより原稿の読み取りを開始する（ステップ１１２）。
そして、ＣＰＵ１は原稿サイズに応じた給紙カセットを選択した（ステップ１１３）後、前回のステープル動作後最初のページか否かを判別する（ステップ１１４）。前回のステープル動作後始めてプリントを行う場合には、ステップ１１３で選択した給紙カセットの用紙サイズをＲＡＭ３のステープル用紙サイズ記憶領域１３に記憶する（ステップ１１５）。次に、ＣＰＵ１は１ページのプリントを実行し（ステップ１１６）、上記と同様にして、プリントが行われた後、記録済用紙がステープルトレイ４３の位置まで搬送され、整合処理が行われる。
次に、ＣＰＵ１はプリントが完了したか否かを判別し（ステップ１１７）、プリントが完了していない場合には、ステップ１１３に戻り、次に記録すべき原稿データのサイズに応じた給紙カセットを選択する。
【００２９】
一方、ステップ１１４において、前回のステープル後、最初のページのプリントではないと判別された場合には、ＣＰＵ１は、ステップ１１３で選択した給紙カセットの用紙サイズがＲＡＭ３のステープル用紙サイズ記憶領域１３に記憶されている用紙サイズと同じか否かを判別する（ステップ１１８）。用紙が同じサイズと判別された場合には、ステップ１１６に移り、上記と同様にして、プリントが行われた後、記録済用紙がステープルトレイ４３の位置まで搬送され、整合処理が行われる。
【００３０】
そして、ステップ１１８において、ステップ１１３で選択した給紙カセットの用紙サイズがＲＡＭ３のステープル用紙サイズ記憶領域１３に記憶されている用紙サイズと異なる場合には、ＣＰＵ１はステープル動作、すなわち、ステープル部４１による綴じ処理を行った（ステップ１１９）後、排紙トレイ４２に綴じ処理された用紙束を排出する（ステップ１２０）。次に、現在ステップ１１３で選択されている給紙カセットの用紙サイズをＲＡＭ３のステープル用紙サイズ記憶領域１３に記憶した（ステップ１２１）後、ステップ１１６に移り、１ページのプリント動作を実行する。
【００３１】
そして、ステップ１１７において、プリント完了と判別されると、上記と同様にして、ステープル動作を行い（ステップ１０７）、綴じられた用紙束を排紙トレイ４２に排出した（ステップ１０８）後、プログラムを終了する。
上記のように、ユーザが混載モードでかつステープルモードを設定すると、原稿の読取り開始前にＬＣＤ表示部に警告画面が表示されるので、ユーザはそのまま作業を続行するか中止するかを原稿の読取り開始前に判断することができ、操作性を向上することができる。
【００３２】
また、警告表示画面で処理続行を選択した場合には、ステープルトレイに蓄積されている用紙のサイズと異なるサイズの用紙に記録が行われる場合には、その記録の前に既にステープルトレイに蓄積されている用紙束のみの綴じ処理が行われ、綴じられた用紙束が排紙トレイに排出されるので、ステープル処理を中断することなく記録を継続することができる。
【００３３】
なお、上記の実施例では、ステープルモードで混載モードのとき、処理を続行した場合に、異なるサイズの記録用紙に記録が行われる場合には、すでにステープルトレイに蓄積されている記録済用紙をステープルするようにしたが、処理続行の場合には、ステープル処理を行わず、通常の排紙を行うようにすることも可能である。
【００３４】
また、上記の実施例では、本発明の綴じ機構付記録装置を複写機能、ファクシミリ機能、プリント機能、スキャナ機能等を有するデジタル複合機に適用した例を説明したが、本発明の画像処理装置は、通常のコピー機にも適用することができる。
【図面の簡単な説明】
【００３５】
【図１】本発明の綴じ機構付記録装置を実施したデジタル複合機の概略ブロック図である。
【図２】デジタル複合機の操作パネルを示す図である。
【図３】ステープラ部を含む後処理装置の詳細を示す図である。
【図４】ステープルモードでコピーを行う場合の作用を示すフローチャートである。
【図５】混載モードでステープル処理を行う場合の警告画面の一例を示す図である。
【符号の説明】
【００３６】
１  ＣＰＵ
２  ＲＯＭ
３  ＲＡＭ
４  表示・操作部
５  読取部
６  画像メモリ
７  記録部
８  コーデック
９  モデム
１０  ＮＣＵ
１１  後処理部
１２  バス
１３  ステープル用紙サイズ記憶領域
２１  ＬＣＤ表示部
２２  テンキー
２３  スタートキー
４１  ステープラ部
【図１】
2005104703.tif 000003
【図２】
2005104703.tif 000004
【図３】
2005104703.tif 000005
【図４】
2005104703.tif 000006
【図５】
2005104703.tif 000007